(57)【要約】【課題】  不使用時に、回転ハンドル３をミル本体２に保持したときに、回転ハンドル３を浮いた状態に維持することと、回転ハンドル３の位置決めとの２つの作用を同時に発揮させることができるミルを提供することを目的とする。【解決手段】  不使用時に回転ハンドル３をミル本体２に保持して保管するための保持手段がミル本体２と回転ハンドル３のそれぞれに設けられ、それらの保持手段が協働することにより、回転ハンドル３が、ミル本体２が置かれた載置面から浮いた状態でミル本体２に位置決め可能に構成されたものである。【選択図】  図１
2020074969.tif 000002
【特許請求の範囲】
【請求項１】
食品を粉砕する粉砕機構を内部に有するミル本体と、該ミル本体に着脱可能な回転ハンドルとから成り、前記粉砕機構は回転粉砕部を有し、使用時に、回転ハンドルを回転軸に取り付けて回転させることにより回転粉砕部を回転させ、不使用時に、回転ハンドルを使用時の取り付け態様とは別の態様でミル本体に保持するミルであって、不使用時に回転ハンドルをミル本体に保持するための保持手段がミル本体と回転ハンドルのそれぞれに設けられ、それらの保持手段が協働することにより、回転ハンドルが、ミル本体が置かれた載置面から浮いた状態でミル本体に位置決め可能に構成されたことを特徴とする食品用手動ミル。
【請求項２】
ミル本体は、上面を有し、回転ハンドルは、ハンドルレバーと、その端部からハンドルレバーの長手方向と交差する方向に突出してハンドルを回転させるための操作部とから成り、ミル本体が有する保持手段はその上面に存在し、回転ハンドルが有する保持手段は操作部に存在する請求項１記載のミル。
【請求項３】
回転ハンドルの操作部は、ハンドルレバーに設けられた支軸と、その支軸を中心に回転可能に取り付けられた回転操作部とから成り、保持手段は回転操作部の外周面に設けられている請求項２記載のミル。
【請求項４】
保持手段は回転操作部の外周面に開口を有する孔部又は凹部である請求項３記載のミル。
【請求項５】
ミル本体が有する保持手段は、ミル本体の上面から突出する回転軸の端部である請求項２乃至請求項４のいずれか一項記載のミル。
【請求項６】
ハンドルレバーは細長く形成され、回転ハンドルの保持手段とミル本体の保持手段が協働して回転ハンドルが保持状態となったとき、ハンドルレバーは、ミル本体の外周面に沿って下方に延びる請求項２乃至請求項５のいずれか一項記載のミル。
【発明の詳細な説明】
【技術分野】
【０００１】
本発明は、主に一般家庭で使用される茶葉等の食品用手動ミルに関する。
【背景技術】
【０００２】
回転ハンドルを回転させることにより食品を粉砕するミルであって、回転ハンドルが着脱可能に構成されたものは従来から存在している。そして、取り外した回転ハンドルが邪魔にならないように、ミル内に立てて保管することができるミルも存在している。
【０００３】
特許文献１の粉砕機は、ハンドルを使用しないときはハンドルを容器内の梁に引掛けておくものであり、ハンドルを浮かした状態に維持できるが、ハンドルの位置決め手段を有していないので、粉砕機を持ち運ぶ際にハンドルがすぐに落ちてしまう虞がある。また、特許文献２のコーヒーグラインダーは、ハンドルを浮いた状態に維持する構成は特許文献１と同じ構成であり、さらに、位置決めする手段として、筐体の内面に上下方向の貫通孔を設け、その貫通孔にハンドルを挿通し立てて保管するものである。すなわち、特許文献２のコーヒーグラインダーは、特許文献１において引掛けられて浮いた状態にある回転ハンドルの位置決めのために、筐体の内部に挿通孔を設けて、その挿通孔に回転ハンドルを通して移動を防止しようとするものであり、特許文献１に位置決め手段を単純に追加したものである。
【先行技術文献】
【特許文献】
【０００４】
【特許文献１】特開昭６０−１９８１２０号公報
【特許文献２】実用新案登録第３１８４６７８号公報
【発明の概要】
【発明が解決しようとする課題】
【０００５】
前述したように、特許文献２のコーヒーグラインダーは、ハンドルを位置決めする手段として、筐体の内面に上下方向の貫通孔を設け、その貫通孔にハンドルを挿通し立てて保管するものである。したがって、貫通孔を設けるためには、貫通孔を構成するための突出部を筐体の内面に設けなければならず、設計上や製造上邪魔な存在であり、すっきりした構成とならず製造に手間がかかるのである。貫通孔を筐体の外面に設ける場合も同様に突出部が邪魔な存在となり、すっきりとした構成にならないのである。また、特許文献２の筐体は断面が四角形であるから突出部を設けるべき内面が平面であり、薄板状のハンドルを挿通させるための挿通孔とそれを構成する突出部をそれぞれ細長い四角形に形成すればよい。しかし、筐体が円筒状であるときは内面が弧状の凹面であり、外面は弧状の凸面であるから、挿通孔を構成する突出部の突出度を大きくしなければ細長い四角形の挿通孔を形成することができず、さらに邪魔な存在となるのである。また、挿通孔が位置決め手段であるとしても、挿通孔のみではハンドルを浮いた状態に維持できないから、ハンドルを浮かせた状態で挿通孔を位置決め手段とするためには、位置決め手段である挿通孔とは別にハンドルを浮いた状態に維持するための手段が必要であり、結局２つの手段を設けなければならない。そこで、本発明は、不使用時に回転ハンドルをミル本体に保持したときに、回転ハンドルを浮いた状態に維持することと、回転ハンドルの位置決めとの２つの作用を同時に発揮させることができるミルを提供することを目的とする。
【課題を解決するための手段】
【０００６】
請求項１記載の発明は、不使用時に回転ハンドルをミル本体に保持するための保持手段がミル本体と回転ハンドルのそれぞれに設けられ、それらの保持手段が協働することにより、回転ハンドルが、ミル本体が置かれた載置面から浮いた状態でミル本体に位置決め可能に構成されたものである。
【０００７】
請求項２記載の発明は、ミル本体が上面を有し、回転ハンドルは、ハンドルレバーと、その端部からハンドルレバーの長手方向と交差する方向に突出してハンドルを回転させるための操作部とから成り、ミル本体が有する保持手段はその上面に存在し、回転ハンドルが有する保持手段は操作部に存在する構成である。
【０００８】
請求項３記載の発明は、回転ハンドルの操作部が、ハンドルレバーに設けられた支軸と、その支軸を中心に回転可能に取り付けられた回転操作部とから成り、保持手段は回転操作部の外周面に設けられている構成である。
【０００９】
請求項４記載の発明は、保持手段が、回転操作部の外周面に開口を有する孔部又は凹部である構成である。
【００１０】
請求項５記載の発明は、ミル本体が有する保持手段が、ミル本体の上面から突出する回転軸の端部である構成である。
【００１１】
請求項６記載の発明は、ハンドルレバーが細長く形成され、回転ハンドルの保持手段とミル本体の保持手段が協働して回転ハンドルが保持状態となったとき、ハンドルレバーは、ミル本体の外周面に沿って下方に延びる構成である。
【発明の効果】
【００１２】
請求項１記載の発明は、不使用時に回転ハンドルをミル本体に保持するための保持手段がミル本体と回転ハンドルのそれぞれに設けられ、それらの保持手段が協働することにより、回転ハンドルが、ミル本体が置かれた載置面から浮いた状態でミル本体に位置決め可能に構成されたものである。したがって、保持手段によって、回転ハンドルを浮いた状態に維持することと、回転ハンドルの位置決めとの２つの作用を同時に発揮させることができるから、浮いた状態を維持する手段と位置決め手段を別々に設ける必要がない。
【００１３】
請求項２記載の発明は、ミル本体が有する保持手段がその上面に存在し、回転ハンドルが有する保持手段はハンドルレバーから突出する操作部に存在する。したがって、回転ハンドルの保持手段とミル本体の保持手段を係合することにより、回転ハンドルを浮いた状態で位置決めすることをワンタッチで行うことができる。
【００１４】
請求項３記載の発明は、回転ハンドルの操作部が、ハンドルレバーに設けられた支軸と、その支軸を中心に回転可能に取り付けられた回転操作部とから成り、保持手段は回転操作部の外周面に設けられている。したがって、回転ハンドルの保持手段が、回転ハンドルの構成部品に設けられているので、回転ハンドルに新たな保持手段を設ける必要がなく、構成の複雑化を抑制し、簡素化できる。
【００１５】
請求項４記載の発明は、回転ハンドルが有する保持手段が、回転操作部の外周面に開口を有する孔部又は凹部である。したがって、保持手段は、回転操作部に孔部又は凹部を設けるだけで容易に形成することができる。
【００１６】
請求項５記載の発明は、ミル本体が有する保持手段が、ミル本体の上面から突出する回転軸の端部である。本発明は、回転ハンドルを回転軸に取り付けて回転させることにより回転粉砕部を回転させるものであるから、回転軸は必須の部品である。したがって、その必須である回転軸の端部を保持部として使用するので、新たな保持部を別途形成する必要がなく、構成の複雑化を抑制できる。
【００１７】
請求項６記載の発明は、ハンドルレバーが細長く形成され、回転ハンドルの保持手段とミル本体の保持手段が協働して回転ハンドルが保持状態となったとき、ハンドルレバーは、ミル本体の外周面に沿って下方に延びる。したがって、不使用時に回転ハンドルをミル本体に保持して保管するときに、ハンドルレバーがミル本体から大きく張り出すことがなく、コンパクトな状態で保管することができる。
【図面の簡単な説明】
【００１８】
【図１】不使用時に回転ハンドルをミル本体に保持して保管する状態を示す一部断面正面図である。
【図２】本発明の使用状態を示す正面図である。
【図３】本発明の使用状態を示す斜視図である。
【図４】回転操作部の側面図である。
【図５】回転操作部の中央縦断面図である。
【図６】受け容器の中央縦断面図である。
【図７】不使用時に回転ハンドルをミル本体に保持して保管する状態を示す他の実施例の正面図である。
【発明を実施するための形態】
【００１９】
次に、本発明の実施例について、図面を参照しながら説明する。本実施例のミル１は、茶葉を粉砕するためのミルである。ミル１は、ミル本体２と回転ハンドル３とを有する。ミル本体２は、円筒形の胴部４を有し、胴部４の上部に円形の蓋５が着脱可能に取り付けられ、胴部４の下部にほぼ円筒形の受け容器６が着脱可能に取り付けられている。
【００２０】
蓋５の上面中央から回転軸７が突出している。この回転軸７は、蓋５から突出している上端部分８の断面が六角形で、それよりも下の部分は断面が円形である。胴部４内には粉砕機構（図示せず。）が設けられ、その粉砕機構を構成する回転粉砕部（図示せず。）が、回転軸７の下端部に取り付けられている。回転粉砕部は、具体的には茶葉を粉末にするための上臼やカッター等である。
【００２１】
蓋５は円形の板状に形成され、その中央に回転軸７を挿通させるための軸孔（図示せず。）が形成されている。図１又は図２に示すように、蓋５の外径は胴部４の外径よりもやや大径に形成されており、蓋５の底面に設けられた嵌め込み部（図示せず。）を胴部４の中に嵌め込むことにより、蓋５は胴部４に取り付けられる。蓋５の外径が胴部４の外径よりもやや大径であるため、蓋５の縁に指を掛けることにより胴部４から容易に取り外すことができる。
【００２２】
受け容器６は、粉砕機構により粉末状に粉砕された茶葉粉末を貯留するための容器であって、胴部４の下部にネジ部９によって着脱自在に取り付けられている。図６に示すように、茶葉粉末を受けるための受け部１０は半卵状に形成されており、洗浄の際に受け部１０に付着している茶葉粉末を容易に洗い流すことができる。また、受け容器６は、全体が透明なプラスチックで形成されており、受け部１０に貯留されている茶葉粉末の量を確認することができる。
【００２３】
図１又は図２に示すように、回転ハンドル３は、細長い板状のハンドルレバー１１と、その一方の端部からハンドルレバーの長手方向と交差する方向に突出する操作部１２を有する。操作部１２は、ハンドルレバー１１の一方の端部からそのハンドルレバーの長手方向と直角に交差する方向に突出するように固定されている支軸１３と、その支軸１３を中心に回転可能に取り付けられた回転操作部１４を有する。なお、支軸１３のハンドルレバー１１に対する交差方向は直角でなくてもよい。また、ハンドルレバー１１の他方の端部には断面六角形の嵌合孔２０が設けられており、使用時にその嵌合孔２０が回転軸７の上端部分８に嵌合して回転ハンドル３を回転させることができる。なお、嵌合孔２０と上端部分８の断面形状は六角形に限定されるものでなく、例えば四角形や八角形等であってもよい。
【００２４】
図４に示すように、回転操作部１４は円筒形をなし、その胴部下半部を絞った形状をなし、くびれ部を有している。また、図５に示すように、回転操作部１４は、支軸１３を挿入するための挿入穴１５が長手方向に設けられ、さらにその挿入穴１５と連通する凹部１６が設けられている。この凹部１６は、支軸１３の頭部１７を受け入れるためのものである。また、回転操作部１４の外周面から凹部１６に至る孔部１８が設けられている。
【００２５】
次に、本発明の使用方法について説明する。茶葉を粉末にするときは、まず、蓋５を胴部４から取り外して茶葉を胴部４の中に投入する。次いで、ミル１を使用するときは、回転ハンドル３の嵌合孔２０を回転軸７の上端部分８に嵌合することにより、図２に示すように回転ハンドル３をミル本体２に取り付け、回転ハンドル３を回転させる。回転ハンドル３を回転させることにより粉砕部（図示せず。）が回転し、茶葉を粉末にすることができる。
【００２６】
茶葉を粉末にする作業が終了したときは回転ハンドル３をミル本体２から取り外し、図１に示すように、回転軸７の上端部分８に回転操作部１４の孔部１８を掛止する。すなわち、上端部分８と孔部１８が、回転ハンドル３をミル本体２に保持する保持手段としての掛止部であって掛止作用をなす。このように、不使用時には、回転ハンドルを使用時とは別の取り付け態様でミル本体に取り付けて保管する。また、回転ハンドル３の保管時に、操作部１２は蓋５の上面に置かれ、ハンドルレバー１１は、ミル本体２の外周面に沿って下方に延びる。したがって、回転ハンドル３はミル１の内部に入る部分がなく全体が外側に保管されるので、回転ハンドル３の保管及び取り外しの際の操作がし易く、ミル１の内部を清潔に保つことができる。さらに、使用時に回転ハンドル３がミル本体３の外周よりも外側に大きく突き出ている方が使用し易いので、本実施例では、図２及び図３に示すように、特許文献１及び特許文献２に比べて回転ハンドル３の突き出し度が大きくなるように、回転ハンドル３がかなり長く形成されている。このため、回転ハンドル３を使用時の取り付け態様のまま保管すると、突き出した回転ハンドル３が邪魔になってしまうのである。そこで、本実施例のように、不使用時にハンドルレバー１１がミル本体２の外周面に沿って下方に延びる状態で保管することにより、保管時に回転ハンドル３が邪魔になることがないのである。
【００２７】
回転操作部１４の孔部１８は断面が円形であって、回転軸７の上端部分８が緩く嵌まる程度の内径を有している。回転操作部１４の孔部１８に回転軸７の上端部分８を遊嵌させることにより、不使用時に、ハンドルレバー１１が胴部４の外周面に沿うように下方に延びた状態で回転ハンドル３をミル本体２に取り付け保管することができる。また、回転軸７の上端部分８に回転操作部１４の孔部１８が掛止されることにより、回転ハンドル３はその掛止位置に位置決めされる。本発明において位置決めとは、回転ハンドル３の移動が規制されるということであり、回転ハンドル３の全部が一体的に他の場所に移動しないということである。前述したように、孔部１８は断面が円形であって、回転軸７の上端部分８が緩く嵌まる程度の内径を有しているので、回転ハンドル３は回転軸７の上端部分８を中心に回転可能である。したがって、回転ハンドル３の回転操作部１４は回転軸７の上端部分８にあってそこから離れないから、回転ハンドル３の全体移動は規制されており、回転ハンドル３は位置決めされているのである。
【００２８】
また、ハンドルレバー１１の長さがミル本体２の長さよりも短いので、不使用時に回転ハンドル３はミル本体が置かれた載置面から浮いた状態で保管される。蓋５の外径は胴部４の外径よりもやや大径なので、回転ハンドル３の保管時には、ハンドルレバー１１は、蓋５の外周に接触した状態で下方に延びるが、胴部４の外周面に接していない。また、図１に示すように、回転操作部１４の基部１９の外縁２１は、蓋５の上面に接することなく浮いた状態となる。これにより、基部１９の外縁２１が蓋５の上面を傷付ける虞がない。
【００２９】
図７は、本発明の他の実施例である。この実施例では、胴部４の外径が胴部４の上端から下端に行くに従ってわずかではあるが徐々に大きくなるように形成されている。また、蓋５の外径は、胴部４の下端の外径とほぼ等しく形成されている。したがって、保管状態の回転ハンドル３のハンドルレバー１１は、蓋５の外周に接触すると共に、ハンドルレバー１１の下端部は胴部４の外周面に接触している。これにより、保持された回転ハンドルが安定し、持ち運び等の際に保持された回転ハンドルがふらつくことを抑制することができる。また、回転操作部１４の基部１９の外縁２１は、蓋５の上面に接している。
【００３０】
なお、本発明は前述した構成に基づいて種々の態様をとることが可能である。例えば、実施例では、ミル本体２の掛止部は、回転軸７の上端部分８であるが、蓋５の上面の、回転軸７から偏倚した位置に掛止部を設けるものであってもよい。また、ミル本体２の掛止部は回転軸７の上端部分８であって凸状であり、回転ハンドル３の掛止部は回転操作部１４の孔部１８であって凹状であるが、凹凸を逆にして蓋５に嵌合凹部又は孔部を設け、回転操作部１４に嵌合凸部を設けて両者を嵌合する構成であっても差し支えない。また、蓋５が存在しなくてもよいし、受け容器６が存在しなくてもよい。回転操作部１４の外周面から凹部１６に至る孔部１８の断面を六角形にしてもよい。この場合、孔部１８が嵌合される回転軸７の上端部分８も同様に断面が六角形であるから、回転ハンドル３が回転軸７を中心に回転することがない。ミル本体２は円筒形に限定されるものでなく、例えば角筒形であってもよい。また、茶葉以外の食品、例えば、コーヒー豆、塩あるいは香辛料等を粉砕してもよい。
【産業上の利用可能性】
【００３１】
ミル本体２と回転ハンドル３の保持手段により、不使用時に、回転ハンドル３が、ミル本体２が置かれた載置面から浮いた状態でミル本体２に位置決めされて保管されるので、１つの保持作用により浮いた状態と位置決め状態となることを可能とし、また、不使用時に回転ハンドル３が邪魔にならない。
【符号の説明】
【００３２】
１  ミル、    ２  ミル本体、    ３  回転ハンドル、    ４  胴部、    ５  蓋、    ６  受け容器、    ７  回転軸、    ８  回転軸の上端部分、    ９  ネジ部、    １０  受け部、    １１  ハンドルレバー、    １２  操作部、    １３  支軸、    １４  回転操作部、    １５  挿入穴、    １６  凹部、    １７  支軸の頭部、    １８  孔部、    １９  基部、    ２０  嵌合孔、    ２１  基部の外縁
【図１】
2020074969.tif 000003
【図２】
2020074969.tif 000004
【図３】
2020074969.tif 000005
【図４】
2020074969.tif 000006
【図５】
2020074969.tif 000007
【図６】
2020074969.tif 000008
【図７】
2020074969.tif 000009
【手続補正書】
【提出日】平成31年1月28日(2019.1.28)
【手続補正１】
【補正対象書類名】明細書
【補正対象項目名】全文
【補正方法】変更
【補正の内容】
【発明の詳細な説明】
【技術分野】
【０００１】
本発明は、主に一般家庭で使用される茶葉等の食品用手動ミルに関する。
【背景技術】
【０００２】
回転ハンドルを回転させることにより食品を粉砕するミルであって、回転ハンドルが着脱可能に構成されたものは従来から存在している。そして、取り外した回転ハンドルが邪魔にならないように、ミル内に立てて保管することができるミルも存在している。
【０００３】
特許文献１の粉砕機は、ハンドルを使用しないときはハンドルを容器内の梁に引掛けておくものであり、ハンドルを浮かした状態に維持できるが、ハンドルの位置決め手段を有していないので、粉砕機を持ち運ぶ際にハンドルがすぐに落ちてしまう虞がある。また、特許文献２のコーヒーグラインダーは、ハンドルを浮いた状態に維持する構成は特許文献１と同じ構成であり、さらに、位置決めする手段として、筐体の内面に上下方向の貫通孔を設け、その貫通孔にハンドルを挿通し立てて保管するものである。すなわち、特許文献２のコーヒーグラインダーは、特許文献１において引掛けられて浮いた状態にある回転ハンドルの位置決めのために、筐体の内部に挿通孔を設けて、その挿通孔に回転ハンドルを通して移動を防止しようとするものであり、特許文献１に位置決め手段を単純に追加したものである。
【先行技術文献】
【特許文献】
【０００４】
【特許文献１】特開昭６０−１９８１２０号公報
【特許文献２】実用新案登録第３１８４６７８号公報
【発明の概要】
【発明が解決しようとする課題】
【０００５】
前述したように、特許文献２のコーヒーグラインダーは、ハンドルを位置決めする手段として、筐体の内面に上下方向の貫通孔を設け、その貫通孔にハンドルを挿通し立てて保管するものである。したがって、貫通孔を設けるためには、貫通孔を構成するための突出部を筐体の内面に設けなければならず、設計上や製造上邪魔な存在であり、すっきりした構成とならず製造に手間がかかるのである。貫通孔を筐体の外面に設ける場合も同様に突出部が邪魔な存在となり、すっきりとした構成にならないのである。また、特許文献２の筐体は断面が四角形であるから突出部を設けるべき内面が平面であり、薄板状のハンドルを挿通させるための挿通孔とそれを構成する突出部をそれぞれ細長い四角形に形成すればよい。しかし、筐体が円筒状であるときは内面が弧状の凹面であり、外面は弧状の凸面であるから、挿通孔を構成する突出部の突出度を大きくしなければ細長い四角形の挿通孔を形成することができず、さらに邪魔な存在となるのである。また、挿通孔が位置決め手段であるとしても、挿通孔のみではハンドルを浮いた状態に維持できないから、ハンドルを浮かせた状態で挿通孔を位置決め手段とするためには、位置決め手段である挿通孔とは別にハンドルを浮いた状態に維持するための手段が必要であり、結局２つの手段を設けなければならない。そこで、本発明は、不使用時に回転ハンドルをミル本体に保持したときに、回転ハンドルを浮いた状態に維持することと、回転ハンドルの位置決めとの２つの作用を同時に発揮させることができるミルを提供することを目的とする。
【課題を解決するための手段】
【０００６】
請求項１記載の発明は、回転ハンドルが、ハンドルレバーと操作部とを有し、操作部は、ハンドルレバーの一方の端部からそのハンドルレバーの長手方向と直角に交差する方向に突出するように固定されている支軸と、その支軸を中心に回転可能に取り付けられた回転操作部とから成り、ハンドルレバーの他方の端部には、前記回転軸の上端部分に嵌合する嵌合孔が設けられており、回転操作部は,円筒形をなし、その胴部下半部を絞った形状をなして、その部分にくびれ部を有しており、回転操作部の基部と反対側を上側として、くびれ部よりも上の回転操作部の上面寄りに偏倚した外周面には孔部が設けられ、この孔部が回転軸の上端部分に掛止されることにより、回転ハンドルが、ミル本体が置かれた載置面から浮いた状態でミル本体に位置決め可能に構成されている構成である。
【０００７】
請求項２記載の発明は、回転操作部が、支軸を挿入するための挿入穴が長手方向に設けられ、さらに回転操作部の上面にはその挿入穴と連通する凹部が設けられ、この凹部は、支軸の頭部を受け入れるためのものであって、回転操作部の外周面に設けられた孔部は、凹部に至るまで延びている構成である。
【発明の効果】
【０００８】
本発明は、回転操作部の、くびれ部よりも上の回転操作部の上面寄りに偏倚した外周面には孔部が設けられ、この孔部が回転軸の上端部分に掛止されることにより、回転ハンドルが、ミル本体が置かれた載置面から浮いた状態でミル本体に位置決め可能に構成されている。したがって、回転ハンドルの保持手段によって、回転ハンドルを浮いた状態に維持することと、回転ハンドルの位置決めとの２つの作用を同時に発揮させることができるから、浮いた状態を維持する手段と位置決め手段を別々に設ける必要がない。
【図面の簡単な説明】
【０００９】
【図１】不使用時に回転ハンドルをミル本体に保持して保管する状態を示す一部断面正面図である。
【図２】本発明の使用状態を示す正面図である。
【図３】本発明の使用状態を示す斜視図である。
【図４】回転操作部の側面図である。
【図５】回転操作部の中央縦断面図である。
【図６】受け容器の中央縦断面図である。
【図７】不使用時に回転ハンドルをミル本体に保持して保管する状態を示す他の実施例の正面図である。
【発明を実施するための形態】
【００１０】
次に、本発明の実施例について、図面を参照しながら説明する。本実施例のミル１は、茶葉を粉砕するためのミルである。ミル１は、ミル本体２と回転ハンドル３とを有する。ミル本体２は、円筒形の胴部４を有し、胴部４の上部に円形の蓋５が着脱可能に取り付けられ、胴部４の下部にほぼ円筒形の受け容器６が着脱可能に取り付けられている。
【００１１】
蓋５の上面中央から回転軸７が突出している。この回転軸７は、蓋５から突出している上端部分８の断面が六角形で、それよりも下の部分は断面が円形である。胴部４内には粉砕機構（図示せず。）が設けられ、その粉砕機構を構成する回転粉砕部（図示せず。）が、回転軸７の下端部に取り付けられている。回転粉砕部は、具体的には茶葉を粉末にするための上臼やカッター等である。
【００１２】
蓋５は円形の板状に形成され、その中央に回転軸７を挿通させるための軸孔（図示せず。）が形成されている。図１又は図２に示すように、蓋５の外径は胴部４の外径よりもやや大径に形成されており、蓋５の底面に設けられた嵌め込み部（図示せず。）を胴部４の中に嵌め込むことにより、蓋５は胴部４に取り付けられる。蓋５の外径が胴部４の外径よりもやや大径であるため、蓋５の縁に指を掛けることにより胴部４から容易に取り外すことができる。
【００１３】
受け容器６は、粉砕機構により粉末状に粉砕された茶葉粉末を貯留するための容器であって、胴部４の下部にネジ部９によって着脱自在に取り付けられている。図６に示すように、茶葉粉末を受けるための受け部１０は半卵状に形成されており、洗浄の際に受け部１０に付着している茶葉粉末を容易に洗い流すことができる。また、受け容器６は、全体が透明なプラスチックで形成されており、受け部１０に貯留されている茶葉粉末の量を確認することができる。
【００１４】
図１又は図２に示すように、回転ハンドル３は、細長い板状のハンドルレバー１１と、その一方の端部からハンドルレバーの長手方向と交差する方向に突出する操作部１２を有する。操作部１２は、ハンドルレバー１１の一方の端部からそのハンドルレバーの長手方向と直角に交差する方向に突出するように固定されている支軸１３と、その支軸１３を中心に回転可能に取り付けられた回転操作部１４を有する。なお、支軸１３のハンドルレバー１１に対する交差方向は直角でなくてもよい。また、ハンドルレバー１１の他方の端部には断面六角形の嵌合孔２０が設けられており、使用時にその嵌合孔２０が回転軸７の上端部分８に嵌合して回転ハンドル３を回転させることができる。なお、嵌合孔２０と上端部分８の断面形状は六角形に限定されるものでなく、例えば四角形や八角形等であってもよい。
【００１５】
図４に示すように、回転操作部１４は円筒形をなし、その胴部下半部を絞った形状をなし、くびれ部を有している。また、図５に示すように、回転操作部１４は、支軸１３を挿入するための挿入穴１５が長手方向に設けられ、さらにその挿入穴１５と連通する凹部１６が設けられている。この凹部１６は、支軸１３の頭部１７を受け入れるためのものである。また、回転操作部１４の外周面から凹部１６に至る孔部１８が設けられている。
【００１６】
次に、本発明の使用方法について説明する。茶葉を粉末にするときは、まず、蓋５を胴部４から取り外して茶葉を胴部４の中に投入する。次いで、ミル１を使用するときは、回転ハンドル３の嵌合孔２０を回転軸７の上端部分８に嵌合することにより、図２に示すように回転ハンドル３をミル本体２に取り付け、回転ハンドル３を回転させる。回転ハンドル３を回転させることにより粉砕部（図示せず。）が回転し、茶葉を粉末にすることができる。
【００１７】
茶葉を粉末にする作業が終了したときは回転ハンドル３をミル本体２から取り外し、図１に示すように、回転軸７の上端部分８に回転操作部１４の孔部１８を掛止する。すなわち、上端部分８と孔部１８が、回転ハンドル３をミル本体２に保持する保持手段としての掛止部であって掛止作用をなす。このように、不使用時には、回転ハンドルを使用時とは別の取り付け態様でミル本体に取り付けて保管する。また、回転ハンドル３の保管時に、操作部１２は蓋５の上面に置かれ、ハンドルレバー１１は、ミル本体２の外周面に沿って下方に延びる。したがって、回転ハンドル３はミル１の内部に入る部分がなく全体が外側に保管されるので、回転ハンドル３の保管及び取り外しの際の操作がし易く、ミル１の内部を清潔に保つことができる。さらに、使用時に回転ハンドル３がミル本体３の外周よりも外側に大きく突き出ている方が使用し易いので、本実施例では、図２及び図３に示すように、特許文献１及び特許文献２に比べて回転ハンドル３の突き出し度が大きくなるように、回転ハンドル３がかなり長く形成されている。このため、回転ハンドル３を使用時の取り付け態様のまま保管すると、突き出した回転ハンドル３が邪魔になってしまうのである。そこで、本実施例のように、不使用時にハンドルレバー１１がミル本体２の外周面に沿って下方に延びる状態で保管することにより、保管時に回転ハンドル３が邪魔になることがないのである。
【００１８】
回転操作部１４の孔部１８は断面が円形であって、回転軸７の上端部分８が緩く嵌まる程度の内径を有している。回転操作部１４の孔部１８に回転軸７の上端部分８を遊嵌させることにより、不使用時に、ハンドルレバー１１が胴部４の外周面に沿うように下方に延びた状態で回転ハンドル３をミル本体２に取り付け保管することができる。また、回転軸７の上端部分８に回転操作部１４の孔部１８が掛止されることにより、回転ハンドル３はその掛止位置に位置決めされる。本発明において位置決めとは、回転ハンドル３の移動が規制されるということであり、回転ハンドル３の全部が一体的に他の場所に移動しないということである。前述したように、孔部１８は断面が円形であって、回転軸７の上端部分８が緩く嵌まる程度の内径を有しているので、回転ハンドル３は回転軸７の上端部分８を中心に回転可能である。したがって、回転ハンドル３の回転操作部１４は回転軸７の上端部分８にあってそこから離れないから、回転ハンドル３の全体移動は規制されており、回転ハンドル３は位置決めされているのである。
【００１９】
また、ハンドルレバー１１の長さがミル本体２の長さよりも短いので、不使用時に回転ハンドル３はミル本体が置かれた載置面から浮いた状態で保管される。蓋５の外径は胴部４の外径よりもやや大径なので、回転ハンドル３の保管時には、ハンドルレバー１１は、蓋５の外周に接触した状態で下方に延びるが、胴部４の外周面に接していない。また、図１に示すように、回転操作部１４の基部１９の外縁２１は、蓋５の上面に接することなく浮いた状態となる。これにより、基部１９の外縁２１が蓋５の上面を傷付ける虞がない。
【００２０】
図７は、本発明の他の実施例である。この実施例では、胴部４の外径が胴部４の上端から下端に行くに従ってわずかではあるが徐々に大きくなるように形成されている。また、蓋５の外径は、胴部４の下端の外径とほぼ等しく形成されている。したがって、保管状態の回転ハンドル３のハンドルレバー１１は、蓋５の外周に接触すると共に、ハンドルレバー１１の下端部は胴部４の外周面に接触している。これにより、保持された回転ハンドルが安定し、持ち運び等の際に保持された回転ハンドルがふらつくことを抑制することができる。また、回転操作部１４の基部１９の外縁２１は、蓋５の上面に接している。
【００２１】
なお、本発明は前述した構成に基づいて種々の態様をとることが可能である。例えば、蓋５が存在しなくてもよいし、受け容器６が存在しなくてもよい。回転操作部１４の外周面から凹部１６に至る孔部１８の断面を六角形にしてもよい。この場合、孔部１８が嵌合される回転軸７の上端部分８も同様に断面が六角形であるから、回転ハンドル３が回転軸７を中心に回転することがない。ミル本体２は円筒形に限定されるものでなく、例えば角筒形であってもよい。また、茶葉以外の食品、例えば、コーヒー豆、塩あるいは香辛料等を粉砕してもよい。
【産業上の利用可能性】
【００２２】
ミル本体２と回転ハンドル３の保持手段により、不使用時に、回転ハンドル３が、ミル本体２が置かれた載置面から浮いた状態でミル本体２に位置決めされて保管されるので、１つの保持作用により浮いた状態と位置決め状態となることを可能とし、また、不使用時に回転ハンドル３が邪魔にならない。
【符号の説明】
【００２３】
１  ミル、    ２  ミル本体、    ３  回転ハンドル、    ４  胴部、    ５  蓋、    ６  受け容器、    ７  回転軸、    ８  回転軸の上端部分、    ９  ネジ部、    １０  受け部、    １１  ハンドルレバー、    １２  操作部、    １３  支軸、    １４  回転操作部、    １５  挿入穴、    １６  凹部、    １７  支軸の頭部、    １８  孔部、    １９  基部、    ２０  嵌合孔、    ２１  基部の外縁
【手続補正２】
【補正対象書類名】特許請求の範囲
【補正対象項目名】全文
【補正方法】変更
【補正の内容】
【特許請求の範囲】
【請求項１】
食品を粉砕する粉砕機構を内部に有するミル本体と、該ミル本体に着脱可能な回転ハンドルとから成り、前記粉砕機構は回転粉砕部を有し、使用時に、回転ハンドルを回転軸の上端部分に取り付けて回転させることにより回転粉砕部を回転させ、不使用時に、回転ハンドルを使用時の取り付け態様とは別の態様でミル本体に保持するミルであって、
回転ハンドルは、ハンドルレバーと操作部とを有し、操作部は、ハンドルレバーの一方の端部からそのハンドルレバーの長手方向と直角に交差する方向に突出するように固定されている支軸と、その支軸を中心に回転可能に取り付けられた回転操作部とから成り、ハンドルレバーの他方の端部には、前記回転軸の上端部分に嵌合する嵌合孔が設けられており、
回転操作部は,円筒形をなし、その胴部下半部を絞った形状をなして、その部分にくびれ部を有しており、回転操作部の基部と反対側を上側として、くびれ部よりも上の回転操作部の上面寄りに偏倚した外周面には孔部が設けられ、この孔部が回転軸の上端部分に掛止されることにより、回転ハンドルが、ミル本体が置かれた載置面から浮いた状態でミル本体に位置決め可能に構成されたことを特徴とする食品用手動ミル。
【請求項２】
回転操作部は、支軸を挿入するための挿入穴が長手方向に設けられ、さらに回転操作部の上面にはその挿入穴と連通する凹部が設けられ、この凹部は、支軸の頭部を受け入れるためのものであって、回転操作部の外周面に設けられた孔部は、凹部に至るまで延びている請求項１記載の食品用手動ミル。